(57)【特許請求の範囲】
【請求項１】
ＲＦＩＤリーダ・ライタに記憶された無線周波信号に結合させ、かつ輻輳無線周波信号を送出させる１対の擬似ＩＣタグ／カードシミュレータ用アンテナと、
該１対の擬似ＩＣタグ／カードシミュレータ用アンテナのうちの一方に接続されて、前記無線周波信号の変復調信号処理を行って変復調データを取り出し、および該１対の擬似ＩＣタグ／カードシミュレータ用アンテナのうちの他方に接続されて、前記輻輳無線周波信号を出力とし、前記輻輳無線周波信号の発生・変調処理のために輻輳データを入力とする擬似ＩＣタグ／カードシミュレータ部と、
前記変復調データおよび前記輻輳データを出力とし、前記変復調データの蓄積、変調データの生成および復調データにより前記通信プロトコルの解析、更に前記輻輳データの生成を行って輻輳・変調・解析データを入出力する擬似ＩＣタグ／カードシミュレータ制御部と、
ホストＰＣと、
前記輻輳・解析データを入力とし、前記ホストＰＣに前記輻輳・解析データの結果の表示・記憶・外部伝送させるようなＩ／Ｆ制御データを前記ホストＰＣへの出力とし、前記ホストＰＣにインストールされた第３のアナライザＩ／Ｆ制御ソフトウエア部と
を備え、
前記ＲＦＩＤリーダ・ライタが伝送する前記通信プロトコルの遵守状態、該通信プロトコルの動作特性および無線周波信号の動作特性それぞれの実力マージンの確認を行うように構成されたＲＦＩＤプロトコルアナライザ。
【請求項２】
前記請求項１記載のＲＦＩＤプロトコルアナライザが、擬似ＩＣタグ／カードシミュレータ装置として備える各機能部に加え、
ＲＦＩＤリーダ・ライタとＲＦＩＤ ＩＣタグ／カードとの間で伝送される無線周波信号に結合させるプロトコルモニタ用アンテナと、該プロトコルモニタ用アンテナに誘起された前記無線周波信号を入力とし、該入力された前記無線周波信号の復調信号処理を行って復調データを出力するプロトコルモニタ受信部と、前記復調データを入力とし、前記復調データの蓄積および通信プロトコルの状態の解析を行って解析データを出力するプロトコルモニタ制御部と、前記解析データを入力とし、前記ホストＰＣに前記解析データの結果の表示・記憶・外部伝送させるようなＩ／Ｆ制御データを前記ホストＰＣへの出力とし、前記ホストＰＣにインストールされた第１のアナライザＩ／Ｆ制御ソフト部とを備えて、前記無線周波信号の伝送の開始から終了の間、リアルタイムで選択的・間歇的トレースから偶発的発生不良原因究明を行うように構成されたＲＦＩＤプロトコルモニタ装置と、
ＲＦＩＤ ＩＣタグ／カードに記憶された無線周波信号に結合させる擬似リーダ・ライタシミュレータ用アンテナと、該擬似リーダ・ライタシミュレータ用アンテナに接続されて、前記無線周波信号の変復調信号処理を行って変復調データを取り出す擬似リーダ・ライタシミュレータ部と、前記変復調データの蓄積、変調データの生成および復調データにより前記通信プロトコルの解析を行って変調・解析データを取り出す擬似リーダ・ライタシミュレータ制御部と、前記解析データを入力とし、前記ホストＰＣに前記解析データの結果の表示・記憶・外部伝送させるようなＩ／Ｆ制御データを前記ホストＰＣへの出力とし、前記ホストＰＣにインストールされた第２のアナライザＩ／Ｆ制御ソフト部とを備えて、前記ＲＦＩＤ ＩＣタグ／カードに記憶された無線周波信号の前記通信プロトコルの遵守状態、該通信プロトコルの動作特性および無線周波信号の動作特性それぞれの実力マージンの確認を簡易に行えるように構成されたＲＦＩＤ擬似リーダ・ライタシミュレータ装置と
のうちの少なくとも一方を、さらに具備することを特徴とする請求項１記載のＲＦＩＤプロトコルアナライザ。
【発明の詳細な説明】
【技術分野】
【０００１】
本発明は、ＲＦＩＤ  ＩＣタグ／カード（電波を用いて、内蔵したメモリのデータを非接触で読み書きする情報媒体）とＲＦＩＤリーダ・ライタ（Ｒａｄｉｏ  Ｆｒｅｑｕｅｎｃｙ  ＩＤｅｎｔｆｉｃａｔｉｏｎ；電波を用いてＲＦタグのデータを非接触で読み書きするもの）との間での通信プロトコル解析に関するものである。
【背景技術】
【０００２】
ＲＦＩＤシステムにおいては、図１１に図示するように１台のＲＦＩＤリーダ・ライタ２００と複数のＲＦＩＤ  ＩＣタグ／カード３００とが無線電波を介してデータ送受信を行う。
通常、ＲＦＩＤ  ＩＣタグ／カード３００自身には電源を所有しておらず、ＲＦＩＤリーダ・ライタ２００が送信する搬送波をＲＦＩＤ  ＩＣタグ／カード３００が受信して、これに内蔵の整流回路にて整流してＲＦＩＤ  ＩＣタグ／カード３００に内の通信制御を司るＩＣの電源として供給する。
ＲＦＩＤリーダ・ライタ２００とＲＦＩＤ  ＩＣタグ／カード３００とのデータ送受信は、ＲＦＩＤリーダ・ライタ２００から常時搬送波を送信すると共に規定の通信プロトコルに従ったデータ（通信モード、通信対象ＩＣタグ／カードコード番号の有効桁数、送信データ等）を先ず送信することから始まる。
ＲＦＩＤ  ＩＣタグ／カード３００はＲＦＩＤリーダ・ライタ２００が送信する搬送波を受信して、これを電源として動作可能となり、ＲＦＩＤリーダ・ライタ２００は送信データをデコードして、該当のＲＦＩＤ  ＩＣタグ／カード３００が所定のデータをＲＦＩＤリーダ・ライタ２００に返信する。
この場合、通信対象のＲＦＩＤ  ＩＣタグ／カード３００を認知するまでの検索通信過程では、該当ＲＦＩＤ  ＩＣタグ／カード３００は１枚とは限らない為、ＲＦＩＤ  ＩＣタグ／カード３００から送信される返信データの衝突が発生する。
これらの異常現象としてはフレミングエラー（複数ＩＣタグ／カードからの同時返送波出力と出力波形位相ズレ等により、出力波形変形により通信波形認知不可となり通信開始からの通信認知不可能なエラー）も発生する。
データ衝突／フレミングエラーが発生せず、ＲＦＩＤリーダ・ライタ２００が正常にデータ受信できれば、それで検索通信過程は終了するが、データ衝突／フレミングエラー等が発生すると、所定のＲＦＩＤ  ＩＣタグ／カード３００とのデータ受信が終了するまでＲＦＩＤリーダ・ライタ２００は通信の再実行を繰返す。
以降、ＲＦＩＤリーダ・ライタ２００は内蔵ソフトウェアに従って、ＲＦＩＤ  ＩＣタグ／カード３００とのデータ送受信を実施する。
【０００３】
既存、及び公表されているＲＦＩＤシステム適応製品は、搬送波周波数がISO18000で規格化されており１３５ＫＨｚ／１３．５６ＭＨｚ／ＵＨＦ帯（８６０−９６０ＭＨｚ）／２．４５ＧＨｚ等であり、これに応じるようにＲＦＩＤリーダ・ライタ２００およびＩＣタグ／カード３００のそれぞれの制御ソフトが備えられている。
既存のＲＦＩＤリーダ・ライタ２００は通信制御ソフトが備わり、通信プロトコル規格に従った動作をする通常のＲＦＩＤリーダ・ライタ２００である。
既存のＲＦＩＤスペクトルアナライザ４００は、測定モードを設定し、通信経路に設置し、測定設定条件に合致した通信状態発生時の通信スペクトラム、波形状態を測定する通常のスペクトルアナライザ機能である。
これは、実フィールドＲＦＩＤ  ＩＣタグ／カード３００とＲＦＩＤリーダ・ライタ２００との間での伝送にて通信プロトコルに連動して測定動作するようなものではなく、非リアルタイム動作計測用スペクトルアナライザである。
例として、所定データを設定回数検知した時にモニタ開始、設定データ検知のみの通信状態トレース等のリアルタイム動作計測ができない問題があった。
【０００４】
公知例では、リーダ・ライタのアンテナのＲＦＩＤタグの読み取りの方法に関して、送信の調整が必要ないものがあった。（例えば、特許文献１参照）。
【０００５】
【特許文献１】特表２００１−５１１２７６号公報（図２）
【発明の開示】
【発明が解決しようとする課題】
【０００６】
これら従来の装置では通信相手装置の動作特性の実力を確認することは困難であり、通信状況を常時モニタすることが困難の為、突然希に発生する通信エラーのトレースが困難であり、トラブルシューティングにおいても複合の通信状態条件を特定してその状態でのエラー発生時の解析が困難である。
下記に本発明が解決しようとする課題を示す。
すなわち、既存技術・製品である実フィールドのＲＦＩＤ ＩＣタグ/カードと特定（相手の仕様熟知）の通信相手の実フィールドのＲＦＩＤリーダ・ライタとの短時間での通信プロトコル遵守可否の確認は可能であるが、複数メーカから出荷される不特定の多品種ＲＦＩＤリーダ・ライタとの通信可否確認には実フィールドのＲＦＩＤリーダ・ライタとの通信をテスト冶具（データ衝突発生、変調度、プロトコル規定パラメータ等変更可能テスト冶具）を作成して確認する必要があり、確認に長時間を要する。
【０００７】
本発明の目的は、上記従来技術の問題点を解決し、以下の項目が行えるＲＦＩＤプロトコルアナライザを提供することにある。
すなわち、本発明のＲＦＩＤ擬似ＩＣタグ／カードシミュレータ装置を活用すれば、通信相手の不特定多品種の実フィールドＲＦＩＤリーダ・ライタが通信プロトコルを遵守しているか、その動作実力マージン確認等が簡易にできると共に、これら確認情報を基に通信対象の実フィールドＲＦＩＤリーダ・ライタに合致した実フィールドＲＦＩＤ ＩＣタグ／カードが短期間で開発できる。
【課題を解決するための手段】
【０００８】
この目的を達成するために、ＲＦＩＤリーダ・ライタに記憶された無線周波信号に結合させ、かつ、輻輳無線周波信号を送出させる１対の擬似ＩＣタグ／カードシミュレータ用アンテナと、
該１対の擬似ＩＣタグ／カードシミュレータ用アンテナのうちの一方に接続されて、前記無線周波信号の変復調信号処理を行って変復調データを取り出し、および該１対の擬似ＩＣタグ／カードシミュレータ用アンテナのうちの他方に接続されて、前記輻輳無線周波信号を出力とし、前記輻輳無線周波信号の発生・変調処理のために輻輳データを入力とする擬似ＩＣタグ／カードシミュレータ部と、
前記変復調データおよび前記輻輳データを出力とし、前記変復調データの蓄積、変調データの生成および復調データにより前記通信プロトコルの解析、更に、前記輻輳データの生成を行って輻輳・変調・解析データを入出力する擬似ＩＣタグ／カードシミュレータ制御部と、
ホストＰＣと、
前記輻輳・解析データを入力とし、前記ホストＰＣに前記輻輳・解析データの結果の表示・記憶・外部伝送させるようなＩ／Ｆ制御データを前記ホストＰＣへの出力とし、前記ホストＰＣにインストールされた第３のアナライザＩ／Ｆ制御ソフト部とを備えて、
前記ＲＦＩＤリーダ・ライタが伝送する前記通信プロトコルの遵守状態、該通信プロトコルの動作特性および無線周波信号の動作特性それぞれの実力マージンの確認を簡易に行うように構成されたものである。
【発明の効果】
【０００９】
本発明を実施すれば、本発明のＲＦＩＤプロトコルアナライザを構成するＲＦＩＤ擬似ＩＣタグ／カードシミュレータ装置の活用効果は下記の通りである。
すなわち、本発明のＲＦＩＤ擬似ＩＣタグ／カードシミュレータ装置を活用すれば、通信相手の不特定多品種の実フィールドのＲＦＩＤリーダ・ライタが通信プロトコルを遵守しているか、その動作特性の実力マージンの確認等が簡易に行えると共に、これら確認情報を基に通信対象の実フィールドのＲＦＩＤリーダ・ライタに合致した実フィールドのＲＦＩＤ ＩＣタグ／カードが短期間で開発できる。
【発明を実施するための最良の形態】
【００１０】
本発明のＲＦＩＤプロトコルアナライザの複合装置システムの構成を図１に、ＲＦＩＤプロトコルアナライザの複合装置システムの概観を図２に、ＲＦＩＤプロトコルアナライザの複合装置システムの回路ブロックを図３に示す。
図１に図示するように、１はプロトコルモニタ受信部、２は擬似リーダ・ライタシミュレータ部、３は擬似ＩＣタグ／カードシミュレータ部、４は制御部であり、１０はこれら４つの部位によって構成されるＲＦＩＤプロトコルアナライザである。
更に、５はアナライザＩ／Ｆ制御ソフト部、６はプロトコルモニタ用アンテナ、７は擬似リーダ・ライタシミュレータ用アンテナ、８は擬似ＩＣタグ／カードシミュレータ用アンテナおよび１００はホストＰＣであり、これら５つの部位およびＲＦＩＤプロトコルアナライザ１０によって構成されるものがＲＦＩＤプロトコルアナライザの複合装置システムである。
２００は実フィールドに有するＲＦＩＤリーダ・ライタであり、および３００は実フィールドに有するＲＦＩＤ  ＩＣタグ／カードであり、上記のＲＦＩＤプロトコルアナライザの複合装置システムとのよりＲＦＩＤ全体のシステム構成となる。
アナライザＩ／Ｆ制御ソフト部５はホストＰＣ１００の記憶部に格納されているソフトウエアである。
アナライザＩ／Ｆ制御ソフト部５はＲＦＩＤプロトコルアナライザ１０に内蔵された制御用ソフトとホストＰＣ１００に備えるソフトウエア資源とのインタフェースを行う役割を担っている。
ＲＦＩＤプロトコルアナライザ１０で処理した結果の表示・出力・パラメータ入力などのマンマシーンインタフェースはホストＰＣ１００を用いて行われる。
プロトコルモニタ用アンテナ６、擬似リーダ・ライタシミュレータ用アンテナ７および擬似ＩＣタグ／カードシミュレータ用アンテナ８の動作・役割は自明であるので、本発明動作説明としては省略する。
制御部４は、プロトコルモニタ受信部１、擬似リーダ・ライタシミュレータ部２および擬似ＩＣタグ／カードシミュレータ部３のそれぞれを制御する部位であり、ハードであるＣＰＵ（Ｃｅｎｔｒａｌ Ｐｒｏｃｅｓｓｏｒ Ｕｎｉｔ）と各機能制御ソフトウエアによって構成される。
【００１１】
図２に図示するように、本発明のＲＦＩＤプロトコルアナライザの複合装置システムの概観図である。
ＲＦＩＤプロトコルアナライザ１０はプロトコルモニタ受信部１、擬似リーダ・ライタシミュレータ部２および擬似ＩＣタグ／カードシミュレータ部３および制御部４が収納筺体に収められている。
収納筺体の前面パネルには、電磁界強度表示用ディジタル表示器、動作表示用ＬＥＤおよびアンテナケーブル接続用のコネクタが配設されている。
各コネクタにケーブルを介してプロトコルモニタ用アンテナ６、擬似リーダ・ライタシミュレータ用アンテナ７および擬似ＩＣタグ／カードシミュレータ用アンテナ８の各アンテナがそれぞれ接続されている。
収納筺体の後面パネルには、ホストＰＣ１００とのインタフェースケーブルが接続されるコネクタが配設されている。
プロトコルモニタ受信部１、擬似リーダ・ライタシミュレータ部２および擬似ＩＣタグ／カードシミュレータ部３のそれぞれの部位はユニット構造を有しており、いずれか一つのユニットを選択して備えた単一装置、いずれか二つのユニットを選択して備えた複合装置または三つのユニット全てを備えた複合装置とすることも可能である。制御部４は、選択されたユニット構成に用いるハードの範囲および制御ソフトウエアの範囲を備えればよい。
【００１２】
図３に図示するように、本発明のＲＦＩＤプロトコルアナライザの本体の回路ブロック図である。
図３はプロトコルモニタ受信部１、擬似リーダ・ライタシミュレータ部２および擬似ＩＣタグ／カードシミュレータ部３の三つのユニット全てを備えた複合装置システムの本体となるＲＦＩＤプロトコルアナライザ１０の回路ブロック図である。
プロトコルモニタ用アンテナ６は、実フィールドで動作中のＲＦＩＤシステムのＲＦＩＤリーダ・ライタ２００とＲＦＩＤ  ＩＣタグ／カード３００との間での無線回線の通信プロトコル、電磁界強度、搬送波周波数のモニタが行えるように、無線回線に電磁界結合して、結合で得た信号をプロトコルモニタ受信部１へ導く。
プロトコルモニタ受信部１にて検出されたプロトコル情報は制御部４に備えるプロトコルモニタ用レジスタに一時蓄積され、次にＣＰＵにて解析処理されて、その結果をアナライザＩ／Ｆ制御ソフト部５に伝達する。
擬似リーダ・ライタシミュレータ用アンテナ７はＲＦＩＤ  ＩＣタグ／カード３００との間での無線回線を構成し、無線回線に電磁界結合して、結合で得た信号を擬似リーダ・ライタシミュレータ部２へ導く。
擬似リーダ・ライタシミュレータ部２で検出された通信コンプライアンス試験情報は制御部４に備える擬似シミュレータ用レジスタに一時蓄積され、次にＣＰＵにて解析処理されて、その結果をアナライザＩ／Ｆ制御ソフト部５に伝達する。
擬似ＩＣタグ／カードシミュレータ用アンテナ８ａ、８ｂはＲＦＩＤリーダ・ライタ２００との間での無線回線を構成し、無線回線に電磁界結合して、結合で得た信号を擬似ＩＣタグ／カードシミュレータ部３へ導く。
擬似ＩＣタグ／カードシミュレータ部３で検出されたデータ衝突／擬似ノイズ発生情報は制御部４に備える擬似シミュレータ用レジスタに一時蓄積され、次にＣＰＵにて解析処理されて、その結果をアナライザＩ／Ｆ制御ソフト部５に伝達する。
図３の回路構成は一例にすぎない。本発明の機能が実現される回路であれば他の回路構成でもよい。
以下に本発明のＲＦＩＤプロトコルアナライザの複合装置システムをＲＦＩＤプロトコルモニタ装置、ＲＦＩＤ擬似リーダ・ライタシミュレータ装置およびＲＦＩＤ擬似ＩＣタグ／カードシミュレータ装置の単独装置として、それぞれの詳細な構成の説明を行う。
【００１３】
図４は本発明の第１の単一機能装置であるＲＦＩＤプロトコルモニタ装置の回路ブロック図である。
図４に図示するように、１はプロトコルモニタ受信部、４Ａはプロトコルモニタ制御部であり、１０Ａはこれら２つの部位によって構成されるＲＦＩＤプロトコルモニタ装置である。
更に、５ＡはアナライザＩ／Ｆ制御ソフト部、６はプロトコルモニタ用アンテナ、および１００はホストＰＣであり、これら３つの部位およびＲＦＩＤプロトコルモニタ装置１０Ａによって構成されるものがＲＦＩＤプロトコルモニタ装置システムである。
以下にＲＦＩＤプロトコルモニタ装置システムを形成するプロトコルモニタ機能について説明する。
【００１４】
実フィールドのＲＦＩＤリーダ・ライタ２００と実フィールドのＲＦＩＤ  ＩＣタグ／カード３００との間でそれぞれの送信時における各種無線周波信号(送信波)が伝送されている時に、プロトコルモニタ用アンテナ６は無線周波信号に結合して受信（モニタ）モードにあり、プロトコルモニタ用アンテナ６を介して誘起された無線周波信号が受信入力されると、受信入力の分岐された一つの無線周波信号は、プロトコルモニタ受信部１に有するＲＦ（Ｒａｄｉｏ  Ｆｒｅｑｕｅｎｃｙ）信号入力部（整合器、フイルタ、アンプ）に入力され、その入力信号はインピーダンス整合、信号帯域通過フイルタリング、アンプで無線周波信号所定の帯域幅信号が増幅され、次に検波（キャリア抽出、サブキャリア抽出、変調波の復調）に入力される。
検波（キャリア抽出、サブキャリア抽出、変調波の復調）回路では、実フィールドのＲＦＩＤリーダ・ライタ２００が送信データにより変調された送信キャリア（搬送波）が受信され、この受信波が所定のフイルタで炉波された信号が検波（復調）増幅され、プロトコルモニタ受信部１に有するプロトコルモニタ制御回路に入力される。
更に、実フィールドのＲＦＩＤ  ＩＣタグ／カード３００が送信したサブキャリア（副搬送波）と送信データ（変調波）も所定のフイルタで炉波され、検波増幅器にて検波（復調）増幅され、プロトコルモニタ受信部１に有するプロトコルモニタ制御回路に入力される。
更に、プロトコルモニタ用アンテナ６で受信された受信信号（受信波）はプロトコルモニタ受信部１に有する電磁界強度検出回路に入力される。
電磁界強度検出回路では、実フィールドのＲＦＩＤリーダ・ライタ及び実フィールドのＲＦＩＤ  ＩＣタグ／カードが送信した搬送波／副搬送波の電磁界強度が電磁界強度検出回路に内蔵のＡ／Ｄ変換器にて検出され、プロトコルモニタ受信部１に有するプロトコルモニタ制御回路に入力される。
また、電磁界強度モニタを行うときには、実フィールドの動作システムに電磁界強度影響をおよぼすことのないように、モニタ側の結合電磁界強度を極力少なくする対策（例：受信アンテナの最小化、モニタ信号最先端受信部の高入力インピーダンス化等）も行われるように制御される。
プロトコルモニタ受信部１に有するプロトコルモニタ制御回路では、ＲＦ信号入力部（整合器、フイルタ、アンプ）と 検波（キャリア抽出、サブキャリア抽出、変調波の復調）回路とにより導かれ、入力された電力値が設計範囲以内か否かをチェックして、その結果をＡ／Ｄ、ＡＧＣ  (Ａｕｔｏｍａｔｉｃ Ｇａｉｎ Ｃｏｎｔｒｏｌ）に導き、ＡＧＣ動作による制御をＲＦ信号入力部（整合器、フイルタ、アンプ）に対して行い、受信信号（波）の電力値を所定値にするように制御する。 
このようにプロトコルモニタ受信部１では、プロトコルモニタ用アンテナ６に誘起された無線周波信号を入力とし、この入力された無線周波信号の復調信号処理を行って検波（復調）増幅されたデータや電磁界強度データである復調データを出力するものである。
なお、プロトコルモニタ受信部１に有するプロトコルモニタ制御回路は、無線周波信号の制御・調整が行われて実フィールドのＲＦＩＤリーダ・ライタ及び実フィールドのＲＦＩＤ  ＩＣタグ／カードから得られた受信信号（データ）および搬送波／副搬送波のレベル情報をプロトコルモニタ制御部４Ａに有するプロトコルモニタ用レジスタのうちプロトコルモニタ用レジスタアレイの所定アドレスの記憶エリアに格納（書込み）させると共に、受信した搬送波のタイミング情報からＲＦＩＤプロトコルモニタ装置１０Ａ内で必要とする実フィールドのＲＦＩＤリーダ・ライタ及び実フィールドのＲＦＩＤ  ＩＣタグ／カードから得られた受信信号（データ）に同期のとれた各種タイミングパルスの生成も行う。
【００１５】
プロトコルモニタ制御部４Ａは、内部にＣＰＵ、レジスタアレイ、通信Ｉ／Ｆ、各機能制御ソフトを有して、復調データを入力とし、復調データの蓄積および通信プロトコルの状態の解析を行って解析データを出力するものである。以下詳細に説明する。
先ず、プロトコルモニタ機能の制御ソフトがホストＰＣ１００から指令される動作指示内容に従ってプロトコルモニタ制御部４Ａ内に有するプロトコルモニタ機能の動作命令用のレジスタアレイの該当レジスタに各種動作データを書込む。
各種動作データとは、書き込みデータ例で云えば、モニタ信号（データ）の種別として全てのリーダ・ライタ送信データ、全てのＩＣタグ／カード送信データ、通信エラー発生時のみの送信データおよび送信元データ等の復調データを指す。
電磁界強度のモニタであれば、その条件としては、変調信号が非出力状態である時、ＩＣタグ／カードの変調信号が出力されている時等およびモニタ開始／停止条件等のタイミングでモニタされるのである。
更に、プロトコルモニタ制御部４Ａは、内部に有するプロトコルモニタ用レジスタのうちアクセス制御回路は、レジスタ アレイとプロトコルモニタ受信部１に有するプロトコルモニタ制御回路との間にインタフェースされる復調データ等の各種信号の制御を行う。
また、 プロトコルモニタ用レジスタのうちのアクセス排他制御回路は、レジスタ アレイに対してプロトコルモニタ制御部４Ａに有するＣＰＵ及びプロトコルモニタ受信部１に有するプロトコルモニタ制御回路から同時にアクセス（データ書込み／読出し）が発生した時にいずれか一つからのアクセスのみを許可するようにアクセス排他制御（同時アクセス時の排他制御）を行う。  
プロトコルモニタ制御部４Ａ内の通信Ｉ／Ｆと接続されるアナライザＩ／Ｆ制御ソフト部は、プロトコルモニタ制御部４Ａで処理された解析データを入力とし、ホストＰＣ１００にインストールされ、ホストＰＣ１００に解析データの結果を表示・記憶・外部伝送させるようなＩ／Ｆ制御データを出力するように構成されたものである。更に、次のような処理が行われる。
ホストＰＣ１００内に常駐（インストール）してホストＰＣ１００との連絡、ホストプログラム等の資源活用を行うホストＰＣインストール制御用ソフトであるＩ／Ｆ制御ソフト５Ａから動作指示（開始指示はホストＰＣ側が行う）がホストＰＣ１００とＲＦＩＤプロトコルモニタ装置１０Ａとの間の通信Ｉ／Ｆ回線を介してＲＦＩＤプロトコルモニタ装置１０Ａに有するプロトコルモニタ制御部４Ａに転送される。
各種動作データの書き込みによってプロトコルモニタ受信部１に有するプロトコルモニタ制御回路が動作して、このプロトコルモニタ制御回路はプロトコルモニタ制御部４Ａに有するプロトコルモニタ用レジスタの内容に従って実フィールドのＲＦＩＤリーダ・ライタ２００と実フィールドのＲＦＩＤ  ＩＣタグ／カード３００との間の通信信号／搬送波／副搬送波／電磁界強度等をホストＰＣ１００の表示部に表示させてモニタすることができる。なお電磁界強度モニタおよびＲＦＩＤプロトコルモニタ装置１０Ａの動作状態監視はＲＦＩＤプロトコルモニタ装置１０Ａの全面パネルの表示器によってモニタすることができる。
以上によって、ＲＦＩＤプロトコルモニタ装置１０Ａを備えたＲＦＩＤプロトコルアナライザは、実フィールドのＲＦＩＤリーダ・ライタと実フィールドのＲＦＩＤ  ＩＣタグ／カードとの間の伝送の開始から終了の間、リアルタイムで選択的・間歇的トレースから偶発的発生不良原因究明を行うように構成されたものである。
【００１６】
図５は本発明の第２の単一機能装置であるＲＦＩＤ擬似リーダ・ライタシミュレータ装置の回路ブロック図である。
図５に図示するように、２は擬似リーダ・ライタシミュレータ部、４Ｂは擬似リーダ・ライタシミュレータ制御部であり、１０Ｂはこれら２つの部位によって構成されるＲＦＩＤ擬似リーダ・ライタシミュレータ装置である。
更に、５ＢはアナライザＩ／Ｆ制御ソフト部、７は擬似リーダ・ライタシミュレータ用アンテナおよび１００はホストＰＣであり、これら３つの部位およびＲＦＩＤ擬似リーダ・ライタシミュレータ装置１０Ｂによって構成されるものがＲＦＩＤ擬似リーダ・ライタシミュレータ装置システムである。
このシステムは、実フィールドのＲＦＩＤリーダ・ライタと実フィールドのＲＦＩＤ ＩＣタグ／カードとの間の伝送に替えＲＦＩＤ擬似リーダ・ライタシミュレータ装置１０Ｂと実フィールドのＲＦＩＤ  ＩＣタグ／カードとの間の伝送が行われるように対向させたものである。
以下にＲＦＩＤ擬似リーダ・ライタシミュレータ装置システムを形成する擬似リーダ・ライタシミュレータ機能について説明する。
【００１７】
ＲＦＩＤ擬似リーダ・ライタシミュレータ装置１０Ｂ内に有する擬似リーダ・ライタシミュレータ部２と実フィールドのＲＦＩＤ  ＩＣタグ／カード３００との間に伝送される信号の信号形式とその動作を含めて説明する。(出力波形例は図７から図１０に図示)
伝送される信号形式（書き込みデータ）例としては、搬送波周波数が１３．５６ＭＨｚ、１３．５６７ＭＨｚおよび１３．５５３ＭＨｚであり、データ符号化方式の種別が、ＩＥＣで規定された「２５６中１（１バイトの値を一つの“ポーズ”の位置で表わす。（図８参照））」または「４中１（同時に２ビットの値を一つのパルス位置で表わす。）」等のパルス位置変調方式であり、搬送波の変調方式がＡＳＫ（Ａｍｐｌｉｔｕｄｅ Ｓｈｉｆｔ Ｋｅｙｉｎｇ（図７参照））の変調度１０％または１００％等に変更可能としており、変調波パルス幅が９．４４μｓ等であり、変調波の標準出力タイミングからの出力開始位相差が５ｘ１／搬送波等、パルス位置の変更が可能としており、実フィールドのＲＦＩＤ ＩＣタグ／カード３００側の変調特性のマージンを計測できるようにしている。
その他、送信データ値、送信データ数、送信データ間隔値、許容受信待ち時間、データ受信終了時の処理指示等をＩＥＣで定めている。
ＲＦＩＤ擬似リーダ・ライタシミュレータ装置１０Ｂ内に有する擬似リーダ・ライタシミュレータ部２と実フィールドのＲＦＩＤ  ＩＣタグ／カード３００との間に伝送される信号は、擬似リーダ・ライタシミュレータ用アンテナ７を介して結合させる。
【００１８】
先ず、以下にＲＦＩＤ擬似リーダ・ライタシミュレータ装置システムを形成する擬似リーダ・ライタシミュレータの送信機能について説明する。
擬似リーダ・ライタシミュレータ制御部４Ｂに各種動作データの書込みによって擬似リーダ・ライタシミュレータ部２に有する擬似リーダ・ライタシミュレータ制御回路が動作し、この擬似リーダ・ライタシミュレータ制御回路は擬似リーダ・ライタシミュレータ制御部４Ｂ内の擬似シミュレータ用レジスタに記憶された内容に従って送信データを擬似リーダ・ライタシミュレータ部２に有する変調回路に送出して変調信号を作成すると共に搬送波出力回路を起動する。
変調回路から出力された変調信号および搬送波出力回路から出力された搬送波は擬似リーダ・ライタシミュレータ部２に有するＲＦ信号出力部のＰＡ（Ｐｏｗｅｒ Ａｍｐｌｉｆｉｅｒ）、整合器を経て擬似リーダ・ライタシミュレータ用アンテナ７に送られ、このアンテナ７から送信相手の実フィールドのＲＦＩＤ  ＩＣタグ／カード３００に対して送信される。
更に、擬似リーダ・ライタシミュレータ部２に有するＲＦ信号出力部から送信される変調信号／搬送波の電力（電圧／電流）の一部は、Ａ／Ｄ、ＡＧＣ−Ｔに入力されて、そのＡ／Ｄ変換値が擬似リーダ・ライタシミュレータ制御回路に入力され、その変換値が規定値範囲内となるように擬似リーダ・ライタシミュレータ制御回路内で送信波レベルを規定レベルにするようにＡ／Ｄ、ＡＧＣ−ＴのうちＡＧＣを制御して、ＲＦ信号出力部から送信される変調信号／搬送波の電力値を規定範囲内に設定することができる。
【００１９】
次に、ＲＦＩＤ擬似リーダ・ライタシミュレータ装置システムを形成する擬似リーダ・ライタシミュレータ受信機能について説明する。
実フィールドのＲＦＩＤ  ＩＣタグ／カード３００から送信される送信データ（送信信号）のＲＦＩＤ擬似リーダ・ライタシミュレータ装置１０Ｂへの受信は、擬似リーダ・ライタシミュレータ用アンテナ７を介して行われ、擬似リーダ・ライタシミュレータ２に有するＲＦ信号入力部（整合器、フイルタ、アンプ）に入力される。ＲＦ信号入力部（整合器、フイルタ、アンプ）では規定の帯域幅信号が増幅され、その出力信号は検波（サブキャリア）回路及びＡ／Ｄ、ＡＧＣ−Ｒに入力される。 
擬似リーダ・ライタシミュレータ部２に有する検波（サブキャリア）回路では、実フィールドのＲＦＩＤ  ＩＣタグ／ カード３００が送信した変調信号（送信信号波）を受信されて検波（復調）増幅する。
Ａ／Ｄ、ＡＧＣ−ＲのＡ／Ｄでは、ＲＦ信号入力部（整合器、フイルタ、アンプ）での受信信号（受信波）の一部を入力として、受信信号の電力（電圧／電流）の監視を行い、この電力値をチェックしてその結果を擬似リーダ・ライタシミュレータ２に有する擬似リーダ・ライタシミュレータ制御回路に出力する。 
擬似リーダ・ライタシミュレータ制御回路ではＲＦ信号入力部（整合器、フイルタ、アンプ）から入力された電力値が規定値範囲以内か否かをチェックしてその結果、Ａ／Ｄ、ＡＧＣ−ＲのうちのＡＧＣを制御してＲＦ信号入力部（整合器、フイルタ、アンプ）での受信信号（波）の電力値を規定値となるように制御する。
擬似リーダ・ライタシミュレータ部２に有する擬似リーダ・ライタシミュレータ制御回路は、これら制御・調整で得られた実フィールドのＲＦＩＤ  ＩＣタグ／カード３００からの送信データ（送信信号）を受信処理して、擬似リーダ・ライタシミュレータ制御部４Ｂに有する擬似シミュレータ用レジスタ アレイの所定アドレスの記憶エリアに格納（書込み）する。
このように擬似リーダ・ライタシミュレータ部２の機能は、擬似リーダ・ライタシミュレータ用アンテナに誘起する無線周波信号を入出力とし、無線周波信号の変復調信号処理を行って変復調データを入出力する。
【００２０】
更に、擬似リーダ・ライタシミュレータ制御部の機能は、変復調データを入出力とし、変復調データの蓄積、変調データの生成および復調データにより通信プロトコルの解析を行って変調・解析データを入出力するものであり、次に詳細に説明する。
擬似リーダ・ライタシミュレータ制御部４Ｂに有する擬似シミュレータ用レジスタ内のアクセス制御回路は、レジスタアレイと擬似リーダ・ライタシミュレータ部２に有する擬似シミュレータ制御回路との間のインタフェース各種信号の制御を行う。
また、擬似シミュレータ用レジスタ内のアクセス排他制御回路は、レジスタアレイに対して擬似リーダ・ライタシミュレータ制御部４Ｂに有するＣＰＵ及び擬似リーダ・ライタシミュレータ部２に有する擬似シミュレータ制御回路から同時にアクセス（データ書込み／読出し）が発生した時にいずれか一つからのアクセスのみを許可するアクセス排他制御（同時アクセス時の排他制御）を行う。  
【００２１】
更に、アナライザＩ／Ｆ制御ソフト部５Ｂの機能は、変調・解析データを入出力とし、ホストＰＣ１００にインストールされ、このホストＰＣ１００に変調・解析データの結果を表示・記憶・外部伝送させるようなＩ／Ｆ制御データを出力するものであり、次に詳細を説明する。
ホストＰＣ１００内に常駐してホストＰＣ１００との連絡、ホストプログラム等の資源活用を行うホストＰＣインストール制御用ソフトであるＩＦ制御ソフト５Ｂから動作指示（開始指示はホストＰＣ側が行う）が通信回線を介してＲＦＩＤ擬似リーダ・ライタシミュレータ装置１０Ｂに有する擬似リーダ・ライタシミュレータ制御部４Ｂに発生されると、擬似リーダ・ライタシミュレータ機能の制御ソフトが動作指示内容に従って擬似リーダ・ライタシミュレータ制御部４Ｂ内に有する擬似リーダ・ライタシミュレータ機能の動作命令用のレジスタアレイの該当レジスタに所定データを書込む。
以上によって、ＲＦＩＤ擬似リーダ・ライタシミュレータ装置システムであるＲＦＩＤプロトコルアナライザはＲＦＩＤ  ＩＣタグ／カードが伝送する通信プロトコルの遵守状態、該通信プロトコルの動作特性および無線周波信号の動作特性それぞれの実力マージンの確認が簡易に行うように構成されたものである。
【００２２】
図６は本発明の第３の単一機能装置であるＲＦＩＤ擬似ＩＣタグ／カードシミュレータ装置の回路ブロック図である。
図６に図示するように、３は擬似ＩＣタグ／カードシミュレータ部４Ｃは擬似ＩＣタグ／カードシミュレータ制御部であり、１０Ｃはこれら２つの部位によって構成されるＲＦＩＤ擬似ＩＣタグ／カードシミュレータ装置である。
更に、５ＣはアナライザＩ／Ｆ制御ソフト部、８ａ、８ｂは１対の擬似ＩＣタグ／カードシミュレータ用アンテナおよび１００はホストＰＣであり、これら４つの部位およびＲＦＩＤ擬似ＩＣタグ／カードシミュレータ装置１０Ｃによって構成されるものがＲＦＩＤ擬似ＩＣタグ／カードシミュレータ装置システムである。
以下にＲＦＩＤ擬似ＩＣタグ／カードシミュレータ装置システムを形成する擬似ＩＣタグ/カードシミュレータ機能について説明する。
【００２３】
ＲＦＩＤ擬似ＩＣタグ／カードシミュレータ装置１０Ｃ内に有する擬似ＩＣタグ／カードシミュレータ部３と実フィールドのＲＦＩＤリーダ・ライタ２００との間に伝送される信号の信号形式とその動作について説明する。（出力波形例は図６に図示）
１対の擬似ＩＣタグ／カードシミュレータ用ンテナ８ａ、８ｂは、ＲＦＩＤリーダ・ライタが伝送する無線周波信号に結合させ、かつ、輻輳無線周波信号を送出させるものである。
先ず、擬似ＩＣタグ／カードシミュレータ部３の送信機能から説明する。
伝送データのビットの符号化方式はマンチェスタ方式を用いて、伝送される信号形式（書き込みデータ）例としては、変調された副搬送波の周波数は搬送波周波数／３２又は搬送波周波数／２８とし、変調波の標準出力タイミングからの出力開始位相差は５ｘ１／搬送波とし、変調波パルス幅は搬送波周波数 ｘ３２とし、周波数およびタイミングを変化させることができ、変調種別は単一（図9参照）／双副搬送波（図１０参照）ＯＯＳＫ(Ｏｎ Ｏｆｆ Ｓｈｉｆｔ Ｋｅｙｉｎｇ)としており、実フィールドのＲＦＩＤリーダライタ２００側の変調特性のマージンを計測できるようにしている。
その他、送信データ値、送信データ数、送信データ間隔値、データ受信終了時の処理指示等は所定データ書込みによって擬似ＩＣタグ／カードシミュレータ部３に有する擬似ＩＣタグ／カードシミュレータ制御回路が動作可能状態となり、実フィールドのＲＦＩＤ リーダライタ２００が送信する送信データの入力待ちとなる。
【００２４】
次に、擬似ＩＣタグ／カードシミュレータ部３の受信機能を説明する。
実フィールドのＲＦＩＤリーダ・ライタから出力される搬送波（キャリア）は、擬似ＩＣタグ／カードシミュレータ用アンテナ８ａ、８ｂを介して擬似ＩＣタグ／カードシミュレータ部３に有するＲＦ信号入力部（整合器、フイルタ、アンプ）に入力される。
このＲＦ信号入力部（整合器、フイルタ、アンプ）では、入力された搬送波を増幅し、その増幅された信号は検波（キャリア、データ）回路に導かれ、及びＡ／Ｄ、ＡＧＣ−Ｒにも導かれる。
擬似ＩＣタグ／カードシミュレータ部３に有する擬似ＩＣタグ／カードシミュレータ制御回路はＲＦ信号入力部（整合器、フイルタ、アンプ）からＡ／Ｄ、ＡＧＣ−ＲのうちＡ／Ｄを経由して入力された搬送波の電力値が規定値範囲以内か否かをチェックしてその結果をＡ／Ｄ、ＡＧＣ−ＲのうちのＡＧＣを制御してＲＦ信号入力部（整合器、フイルタ、アンプ）での搬送波受信電力を規定値になるように制御する動作を行い、更に、受信した搬送波信号によってＲＦＩＤ擬似ＩＣタグ／カードシミュレータ装置内で用いる各種タイミング生成する動作を行う。
擬似ＩＣタグ／カードシミュレータ部３が実フィールドのＲＦＩＤリーダ・ライタの送信データ（変調波）を受信すると、受信信号は擬似ＩＣタグ／カードシミュレータ用アンテナ８ａ、８ｂを介してＲＦ信号入力部(整合器、フイルタ、アンプ)に入力され、ここで増幅され、その出力信号が検波（キャリア、データ）回路及びＡ／Ｄ、ＡＧＣ−Ｒに入力される。
次に、擬似ＩＣタグ／カードシミュレータ部３に有する擬似ＩＣタグ／カードシミュレータ制御回路はＲＦ信号入力部（整合器、フイルタ、アンプ）から検波（キャリア、データ）回路を経由して入力された電力値が規定値範囲以内か否かをチェックしてその結果をＡ／Ｄ、ＡＧＣ−ＲのうちのＡＧＣを制御してＲＦ信号入力部（整合器、フイルタ、アンプ）での受信信号（受信波）の電力値を規定値になるように制御する。 
更に、擬似ＩＣタグ／カードシミュレータ制御回路は、これら制御・調整で得られた実フィールドのＲＦＩＤリーダ・ライタ２００から送信された送信データ（送信信号）を受信処理して擬似ＩＣタグ／カードシミュレータ部４Ｃに有する擬似シミュレータ用レジスタアレイの所定アドレスの記憶エリアに格納(書込み)する。
【００２５】
擬似ＩＣタグ／カードシミュレータ制御回路は受信データをデコードし、応答信号として返信に必要なデータを擬似シミュレータ用レジスタから取り出し、実フィールドのＲＦＩＤリーダ・ライタ２００への送信を開始する。
擬似ＩＣタグ／カードシミュレータ制御回路は擬似シミュレータ用レジスタに記憶された内容に従って送信データを変調回路に送出して変調信号を生成する。
生成された変調信号はＲＦ信号出力部のＰＡ、整合器を経てアンテナに送られ、擬似ＩＣタグ／カードシミュレータ用アンテナ８ａから送信相手の実フィールドのＲＦＩＤリーダ・ライタに向けて送信される。
更に、ＲＦ信号出力部から送信される変調信号の一部の電力（電圧／電流）は、 Ａ／Ｄ、ＡＧＣ−ＴのうちのＡ／Ｄに入力されてＡ／Ｄ変換され、その変換値が擬似ＩＣタグ／カードシミュレータ制御回路に入力される。
その変換値が規定値範囲外であれば、擬似ＩＣタグ／カードシミュレータ制御回路はＡ／Ｄ、ＡＧＣ−ＴのうちのＡＧＣを制御してＲＦ信号出力部から送信される変調信号の電力を規定値範囲内になるように設定する。
以上のように、擬似ＩＣタグ／カードシミュレータ部３では、一方の擬似ＩＣタグ／カードシミュレータ用ンテナ８ａに誘起する無線周波信号を入出力とし、無線周波信号の変復調信号処理を行って変復調データの入出力とする機能を有する。
更に、擬似ＩＣタグ／カードシミュレータ制御部は、変復調データを入出力し、および輻輳データを出力とし、変復調データの蓄積、変調データの生成および復調データにより通信プロトコルの解析、更に、輻輳データの生成を行って輻輳・変調・解析データを入出力する機能を有する。
【００２６】
擬似ＩＣタグ／カードシミュレータ部３に有する輻輳無線周波（ｃｏｌｌｉｓｉｏｎ）発生制御回路について説明する。
輻輳無線周波（ｃｏｌｌｉｓｉｏｎ）発生制御回路（擬似ＩＣタグ／カードシミュレータ制御回路同等輻輳無線周波発生器）の送信信号を生成する構成は擬似ＩＣタグ／カードシミュレータ部３に有する送信の機能部と同等であり、実フィールドのＲＦＩＤリーダ・ライタ２００への輻輳無線周波（コリージョン）を発生し送信する為の回路である。
これにより実フィールドのＲＦＩＤリーダ・ライタ２００に対して、複数枚の擬似的なＲＦＩＤ  ＩＣタグカードとの通信対応の確認できるようにしてある。
擬似ＩＣタグ／カードシミュレータ部３に有する輻輳無線周波（ｃｏｌｌｉｓｉｏｎ）発生制御回路から出力される送信信号（変調波）の出力タイミング、周波数、出力データ値等の出力特性は、擬似ＩＣタグ／カードシミュレータ制御回路からの制御（起動）に従い、擬似ＩＣタグ／カードシミュレータ制御回路の送信機能と同様に、擬似シミュレータ用レジスタの記憶エリアの内容に従って送信データを変調回路に送出して変調信号を生成する。
ここで生成された変調信号はＲＦ信号出力部−ＣのＰＡ、整合器を経て擬似ＩＣタグ／カードシミュレータ用アンテナ８ｂに送られ、このアンテナから送信相手の実フィールドのＲＦＩＤリーダ・ライタに向けて２枚目の擬似的なＲＦＩＤ  ＩＣタグカードとして送信される。
このＲＦ信号出力部−Ｃから送信される変調信号の一部の電力(電圧／電流)は、 Ａ／Ｄ、ＡＧＣ−ＣのうちのＡ／Ｄに入力されてＡ／Ｄ変換され、その変換値が輻輳無線周波（ｃｏｌｌｉｓｉｏｎ）発生制御回路に入力される。
その変換値が規定値範囲外であれば、輻輳無線周波（ｃｏｌｌｉｓｉｏｎ）発生制御回路はＡ／Ｄ、ＡＧＣ−ＣのうちのＡＧＣを制御してＲＦ信号出力部−Ｃから送信される変調信号の電力を規定値範囲内に設定する。
これにより、擬似ＩＣタグ／カードシミュレータの送信機能が複数あると同等の動作である。
以上のように、擬似ＩＣタグ／カードシミュレータ部３では、他方の擬似ＩＣタグ／カードシミュレータ用ンテナ８ｂに誘起させる輻輳無線周波信号を出力とし、輻輳無線周波信号の発生・変調処理のために輻輳データを入力とする機能を有する。
【００２７】
ホストＰＣ１００内に常駐してホストＰＣ１００との連絡、ホストプログラム等の資源活用を行うホストＰＣインストール制御用ソフトであるＩＦ制御ソフト５Ｃから動作指示（開始指示はホストＰＣ側が行う）が通信回線を介してＲＦＩＤ擬似ＩＣタグ／カードシミュレータ装置１０Ｃに有する擬似ＩＣタグ／カードシミュレータ制御部４Ｃに発生されると、擬似ＩＣタグ／カードシミュレータ機能の制御ソフトが動作指示内容に従って擬似ＩＣタグ／カードシミュレータ制御部４Ｃ内に有する擬似ＩＣタグ／カードシミュレータ機能の動作命令用のレジスタ  アレイの該当レジスタに所定データを書込む。
以上のように、アナライザＩ／Ｆ制御ソフト部５Ｃは，輻輳・変調・解析データを入出力とし、ホストＰＣ１００にインストールされ、このホストＰＣ１００に輻輳・変調・解析データの結果を表示・記憶・外部伝送させるようなＩ／Ｆ制御データを出力する機能を有するものである。
以上によって、ＲＦＩＤ擬似ＩＣタグ／カードシミュレータ装置システムであるＲＦＩＤプロトコルアナライザは、ＲＦＩＤリーダ・ライタが伝送する通信プロトコルの遵守状態、通信プロトコルの動作特性および無線周波信号の動作特性それぞれの実力マージンの確認が簡易に行うように構成されたものである。
【産業上の利用可能性】
【００２８】
本発明は、流通業、製造業、サービス業、卸売・小売業等に利用することができる。
【図面の簡単な説明】
【００２９】
【図１】本発明のＲＦＩＤプロトコルアナライザの複合装置システムの構成図である。
【図２】本発明のＲＦＩＤプロトコルアナライザの複合装置システムの概観図である。
【図３】本発明のＲＦＩＤプロトコルアナライザの本体の回路ブロック図である。
【図４】本発明のＲＦＩＤプロトコルモニタ装置の回路ブロック図である。
【図５】本発明のＲＦＩＤ擬似リーダ・ライタシミュレータ装置の回路ブロック図である。
【図６】本発明のＲＦＩＤ擬似ＩＣタグ／カードシミュレータ装置の回路ブロック図である。
【図７】ＡＳＫ変調方式の波形図である。
【図８】２５６中１パルス位置変調方式の波形図である。
【図９】単一副搬送波ＯＯＳＫ変調方式の波形図である。
【図１０】双副搬送波ＯＯＳＫ変調方式の波形図である。
【図１１】従来技術のＲＦＩＤプロトコルアナライザのシステムブロック図である。
【符号の説明】
【００３０】
１  プロトコルモニタ受信部
２  擬似リーダ・ライタシミュレータ部
３  擬似ＩＣタグ／カードシミュレータ部
４  制御部
４Ａ  プロトコルモニタ制御部
４Ｂ  擬似リーダ・ライタシミュレータ制御部
４Ｃ  擬似ＩＣタグ／カードシミュレータ制御部
５  アナライザＩ／Ｆ制御ソフト部
６  プロトコルモニタ用アンテナ
７  擬似リーダ・ライタシミュレータ用アンテナ
８  擬似ＩＣタグ／カードシミュレータ用アンテナ
１０  ＲＦＩＤプロトコルアナライザ
１０Ａ  ＲＦＩＤプロトコルモニタ装置
１０Ｂ  ＲＦＩＤ擬似リーダ・ライタシミュレータ装置
１０Ｃ  ＲＦＩＤ擬似ＩＣタグ／カードシミュレータ装置
１００  ホストＰＣ
２００  ＲＦＩＤリーダ・ライタ
３００  ＲＦＩＤ  ＩＣタグ／カード
【図１】
0004410745.tif 000002
【図２】
0004410745.tif 000003
【図３】
0004410745.tif 000004
【図４】
0004410745.tif 000005
【図５】
0004410745.tif 000006
【図６】
0004410745.tif 000007
【図７】
0004410745.tif 000008
【図８】
0004410745.tif 000009
【図９】
0004410745.tif 000010
【図１０】
0004410745.tif 000011
【図１１】
0004410745.tif 000012